(57)【特許請求の範囲】
【請求項１】
外郭部材の内部に配置された熱交換器と送風ファンを備え、前記外郭部材の下部開口部を画定するように形成された室内空気の吸込口と吹出口との間に、前記熱交換器と前記送風ファンとを含む風路を設けた天井埋込形空気調和機において、
前記外郭部材に外気を導入する接続口を設け、該接続口と前記吸込口を接続する独立した外気導入風路を備え、
前記風路は前記吸込口から室内空気を吸込んで熱交換器へ流れる吸込側風路を有し、前記外気導入風路は前記吸込側風路内にあり、かつ前記吸込側風路と分離独立したものであることを特徴とする天井埋込形空気調和機。
【請求項２】
前記外気導入風路は、前記外郭部材の内側で前記接続口に接続し、前記吸込側風路に位置するダクトにより構成されたことを特徴とする請求項１記載の天井埋込形空気調和機。
【請求項３】
前記ダクトは、前記接続口の近傍において外郭部材に設けた係止部に係止するフランジと、前記外郭部材に設けた固定受け部に当接し連結される固定部を備え、この固定部の連結を着脱することによって前記ダクトを着脱可能としたことを特徴とする請求項２記載の天井埋込形空気調和機。
【請求項４】
前記ダクトの側板に、外気ダクトを通る外気と前記吸込側風路に吸込まれた室内空気とを混合する混合穴を設けたことを特徴とする請求項２または３記載の天井埋込形空気調和機。
【請求項５】
前記ダクトの側板に、下面側を根元とし、上方が前記ダクトの外側に開口するように切り起して形成された風向板を設けたことを特徴とする請求項２または３記載の天井埋込形空気調和機。
【請求項６】
前記ダクトの居室側端部近傍に、前記ダクトを通って居室に供給される外気の風向を変える風向調整手段を設けたことを特徴とする請求項２または３記載の天井埋込形空気調和機。
【請求項７】
前記ダクトの外郭に前記吸込側風路に通じる外気供給口を設けると共に、前記ダクトの内部に、前記外気供給口を開閉して外気を居室側へ送り込む風路と前記吸込側風路へ送り込む風路に分けるダンパーを設けたことを特徴とする請求項２または３記載の天井埋込形空気調和機。
【請求項８】
前記外郭部材の側面にほぼ逆Ｕ字状の切欠き部を設け、この切欠き部に配置されるとともに前記外郭部材に着脱可能に取り付けられる接続部材を備え、この接続部材に前記接続口を設けたことを特徴とする請求項１〜７のいずれかに記載の天井埋込形空気調和機。
【発明の詳細な説明】
【０００１】
【発明の属する技術分野】
本発明は、外気導入構造を備えた天井埋込形空気調和機に関するものである。
【０００２】
【従来の技術】
図１２は外気導入構造を有しフィルターチャンバーを備えた従来の天井埋込形空気調和機の一例を示す縦断面図である。図に示すように、天井埋込形空気調和機４０は、天井４１の裏側に吊りボルト４２によって吊り下げられた空気調和機本体４３と、天井４１から露出した化粧パネル４４と、この化粧パネル４４と空気調和機４３との間に配置されたフィルターチャンバー４５とによって構成されている。
【０００３】
４６は空気調和機本体４３内のほぼ中央に配置されたファン、４７はこのファン４６を駆動するモータであり、このモータ４７は取付け具４８によって空気調和機本体４３に固定されている。４９はファン４６を囲むように配置された熱交換器、５０は熱交換器４９の下方に配置されたドレンパンであり、その中央には通風路５１が形成されている。５２はドレンパン５０の下面に取り付けられた吸込板であり、この吸込板５２にはオリフィス５３が形成されている。化粧パネル４４の中央には吸込グリル５４が設けられ、この吸込グリル５４の周りには吹出口５５が設けられている。この吹出口５５には風向変更羽根５６が配置されている。５７は吸込グリル５４の裏側に配置されたプレフィルターである。
【０００４】
フィルターチャンバー４５には外気導入部５８が設けられ、この外気導入部５８には連結用ダクト５９が接続されている。この連結用ダクト５９には第１の連結部６０と第２の連結部６１が設けられ、第１の連結部６０は、フィルターチャンバー４５の外気導入部５８に連結されている。また、連結用ダクト５９の第２の連結部６１は、外気導入用ダクト１８につながれている。
【０００５】
【発明が解決しようとする課題】
上記のように構成した従来の天井埋込形空気調和機では、空気調和機本体４３と化粧パネル４４との間にフィルターチャンバー４５を設けなければならず、据付けスペースがその分だけ必要である。また、空気調和機が運転を停止しているときに外気を導入すると、化粧パネル４４の吸収グリル５４に設けたプレフィルター５７に付着していたホコリ等を、外気流が室内に吹き戻してしまう。
【０００６】
本発明は上記のような課題を解決するためになされたもので、空気調和機本体の側面に外気導入口を設け、内部に化粧パネルの吸込グリルまで導くダクトを配置することによって、省スペースで、かつ、ホコリ等を室内に吹き戻すことがない換気機構を備えた天井埋め込み形の空気調和機を提供することを目的とする。
【０００７】
【課題を解決するための手段】
本発明は、外郭部材の内部に配置された熱交換器と送風ファンを備え、外郭部材の下部開口部を画定するように形成された室内空気の吸込口と吹出口との間に、熱交換器と送風ファンとを含む風路を設けた天井埋込形空気調和機において、外郭部材に外気を導入する接続口を設け、接続口と吸込口を接続する独立した外気導入風路を備え、風路は吸込口から室内空気を吸込んで熱交換器へ流れる吸込側風路を有し、外気導入風路は吸込側風路内にあり、かつ吸込側風路と分離独立したものである。
さらに、外気導入風路は、外郭部材の内側で接続口に接続し、吸込側風路に位置するダクトにより構成された。
【０００８】
また、ダクトは、接続口の近傍において外郭部材に設けた係止部に係止するフランジと、外郭部材に設けた固定受け部に当接し連結される固定部を備え、この固定部の連結を着脱することによってダクトを着脱可能とした。
【００１０】
また、ダクトの側板に、外気ダクトを通る外気と吸込側風路に吸込まれた室内空気とを混合する混合穴を設けた。
さらに、ダクトの側板に、下面側を根元とし、上方がダクトの外側に開口するように切り起して形成された風向板を設けた。
【００１１】
さらに、ダクトの居室側端部近傍に、ダクトを通って居室に供給される外気の風向を変える風向調整手段を設けた。
また、ダクトの外郭に吸込側風路に通じる外気供給口を設けると共に、ダクトの内部に、外気供給口を開閉して外気を居室側へ送り込む風路と吸込側風路へ送り込む風路に分けるダンパーを設けた。
さらに、外郭部材の側面にほぼ逆Ｕ字状の切欠き部を設け、この切欠き部に配置されるとともに外郭部材に着脱可能に取り付けられる接続部材を備え、この接続部材に接続口を設けた。
【００１２】
【発明の実施の形態】
［実施の形態１］
図１は本発明の実施の形態１の天井埋込形空気調和機を示す縦断面図、図２は図１の斜視図である。図において、１は居室側に開口した箱状の外郭部材で、この内部のほぼ中央には熱交換器２がＶ字形に配置されている。また、熱交換器２のＶ字形配置部の間には円筒状の送風ファン３が配置されている。熱交換器２のＶ字形配置の底部にはドレンパン４が固定配置されており、このドレンパン４は一方の側に外郭部材１と協働して吸込口５を、他方の側に吸込口６を各々画定している。７はスタビライザで、吸込口６と熱交換器２との間に設けた吸込側風路８と、送風ファン３の吹出し側に延在する吹出側風路９とを区画している。
【００１３】
外郭部材１の下部開口部には意匠面となる化粧パネル１０が取り付けられており、空気調和機本体の下面ならびにドレンパン４の底面とほぼ面一であり、ドレンパン４の両側に吸込口５の吸込グリル１１と吸込口６の吸込グリル１２とを各々個別に有している。化粧パネル１０は、吸込グリル１２の隣に吹出側風路９の実質的な終端をなす吹出口１３を有しており、この吹出口１３には吹出空気の流れを変えるルーバー１４が配置されている。また、吸込グリル１１，１２と熱交換器２の風路間には、プレフィルター１５，１６が配置され、居室側から吸込まれた空気のゴミ、埃等を捕集除去している。
１７は外郭部材１の側面に配置されて外気を空気調和機本体に導く外気導入ダクト１８と接続するダクト接続口である。１９は外郭部材１の内側に位置し、プレフィルター１５を介して接続口１７と吸込口５とを連結する風路を構成する外気ダクトである。
【００１４】
上記のように構成した実施の形態１の作用を説明する。送風ファン３の駆動により吸込口５，６の吸込グリル１１，１２からプレフィルター１５，１６を通過して空気調和機本体内部に吸い込まれた居室内の空気は、吸込側風路８の熱交換器２で熱交換され、送風ファン３によって吹出側風路９に送られて、吹出口１３から居室に吹き出す。一方、外気導入用ダクト１８から導入された外気は、ダクト接続口１７から空気調和機本体内部に入り、外気ダクト１９により居室側に導かれ、プレフィルター１５を通過して、吸込口５の吸込グリル１１から居室へ供給される。
このため、プレフィルター１５における外気ダクト１９の居室側開口部に面した部分の風の流れは、その周囲とは逆に空気調和機から居室側に向いており、その部分には居室に浮遊しているゴミ、埃等は捕集されることがなく、このため空気調和機の運転が停止していて外気が導入されても、ゴミ、埃等が居室側に吹き戻されることはない。
【００１５】
［実施の形態２］
図３は本発明の実施の形態２の天井埋込形空気調和機を示す分解斜視図、図４は図３の外気ダクトの側面図である。なお、実施の形態１と同一部分の説明は省略する（以下、同様）。図に示すように、ダクト接続口１７側の外郭部材１に接する外気ダクト１９の端部開口部の上端部には、外郭部材１に沿って上方に伸びるフランジ２０が設けられており、外郭部材１の内面側には、下方に伸びるクランク状の係止部２１が配置されている。また、外気ダクト１９の両側側面には、ネジが貫通する穴を備えて張り出した固定部２２を設け、また、外郭部材１の内側面の固定部２２に接する位置には、ネジ２３の固定受け穴を備えた固定受け部２４が設けられている。
【００１６】
上記のように構成した実施の形態２の外気ダクトの取付け作用を説明する。外郭部材１の内面側に配置した係止部２１に、外気ダクト１９のフランジ２０を差込み、また、固定受け部２４に外気ダクト１９の側面に設けた固定部２２を当接し、ネジ２３により双方を連結固定する。
このような部品構成にすることにより、ネジ２３を着脱することによって外気ダクト１９を着脱可能とすることができる。
なお、天井埋込形空気調和機の作用、効果であって実施の形態１と重複する部分はの説明は省略する（以下、同様）。
【００１７】
［実施の形態３］
図５は、本発明の実施の形態３の外気ダクト一体型の天井埋込形空気調和機の縦断面図である。図に示すように、外郭部材１の側面に外気導入ダクト１８に接続する外気接続口１７ａを備え、その外気接続口１７ａが配置された外郭部材１の側面の内側に空気調和機本体の内部と隔離するための仕切り板２５を配置し、この仕切り板２５により外郭部材１の両側面、天面及び化粧パネル１０を繋いで外気の風路を構成したものである。
このようにして部品構成をすることにより、空気調和機本体内に外気導入風路が形成されるため、省スペースの構成が可能となる。
【００１８】
［実施の形態４］
図６は本発明の実施の形態４の天井埋込形空気調和機を示す縦断面図である。図に示すように、２６は空気調和機本体の吸込側風路８内に配置した外気ダクト１９の両側面に設けた混合穴である。
【００１９】
上記のように構成した実施の形態４の作用を説明する。空気調和機が停止状態の場合、外気はダクト接続口１７を介して空気調和機本体の内部に導かれ、外気ダクト１９により形成された風路を通り、プレフィルター１５を通過して、化粧パネル１０の吸込グリル１１から居室へと吹き出す。
また、空気調和機が運転状態の場合は、送風ファン３により居室内の空気が化粧パネル１０の吸込グリル１１，１２を介して空気調和機本体の内部に取り込まれ、熱交換器２を通過する際に熱交換され、吹出し口１３から居室に戻される。外気は、吸込側風路８内に配置された外気ダクト１９の両側面に設けた混合穴２６で空気調和機に吸込まれた居室の空気と混合され、熱交換器２を通過して居室に吹き出される。
本実施の形態によれば、空気調和機の送風ファン３により送風されるため風速も早くなり、居室全体に新鮮な外気を供給することができる。
【００２０】
［実施の形態５］
図７は本発明の実施の形態５の天井埋込形空気調和機を示す縦断面図、図８は図７の分解斜視図である。図において、２７は空気調和機本体の吸込側風路８内に設けられた外気ダクト１９の両側面に設けられた風向板で、居室床面側（下面側）を根元にし、上方が外気ダクト１９の外側に開口するように切り起し形成したものである。
【００２１】
上記のように構成した実施の形態５においては、外気の風向はダクト接続口１７から空気調和機に導かれ、主流は居室床面に向かって吹いている。これは空気調和機が運転して流れている風向きとは逆行している。外気の風速が空気調和機の風速より勝っている場合、外気は空気調和機内部に入らず居室にそのまま吹き出してしまう。そこで、風向板２７により、風向きを居室吸込み風向に合わせ熱交換器２に吸込まれた際居室吸込み空気と混合させ、居室へ空調空気を吹出すようにしたものである。
【００２２】
［実施の形態６］
図９は本発明の実施の形態６の天井埋込形空気調和機のダクト接続口を示す分解斜視図である。図に示すように、外郭部材１の側面に居室床面に対してほぼ逆Ｕ字状に開口した切欠き部２８を設け、この切欠き部２８を被い隠し外気ダクト１９との接続口１７を備えた接続部材２９を配置し、この接続部材２９を外郭部材１の折り返し端部に固定ねじ３０によって係止するようにしたものである。
本実施の形態によれば、固定ねじ３０によって接続部材２９を着脱することができるので、点検、製品交換等のメンテナンスをする際に、天井を剥がさずダクト部を外して行うことができる。
【００２３】
［実施の形態７］
図１０は本発明の実施の形態７の天井埋込形空気調和機を示す縦断面図である。図において、３１は外気ダクト１９の居室側端部の近傍に配設された風向ガイドである。
上記のように構成した天井埋込形空気調和機によれば、空気調和機の運転を停止して換気装置のみを運転し、外気からの吸気の気流のみが室内に吹くようにすると、外気は外気導入用ダクト１８を通り、ダクト接続口１７を介して外気ダクト１９により居室に供給される。この際、外気は居室の直下方向に吹くところを、風向きダクト３１によって斜め下向きに風向きが変えられる。
こうして風向きを変えることによって、居室にいる人に直接風があたらないようにすることができる。したがって、冬季等の場合でも、外気の低温気流が居室にいる人に直接あたることもなく、不快に感じることはない。
【００２４】
［実施の形態８］
図１１は本発明の実施の形態８の天井埋込形空気調和機を示す縦断面図である。図において、３２は外気ダクト１９の内部に設けられたダンパーで、空気調和機の運転中には床面側ａに向いて外気ダクト１９の外郭に設けられた外気供給口３３を開放し、運転を停止している場合には熱交換器２側ｂに向いて外気供給口３３を閉じる。
【００２５】
上記のように構成した天井埋込形空気調和機によれば、ダンパー３２を空気調和機の運転中には床面側ａに向け、このとき、外気はダクト接続口１７より外気ダクト１９の内部に入り、外気ダクト１９の外郭に設けられた外気供給口３３から空気調和機内部に送り込まれ、送風ファン３により熱交換器２を通り、吹出側風路９を介して居室に吹出される。また、空気調和機が停止している場合は、ダンパー３２を熱交換器２側ｂに向け、外気は外気ダクト１９を通り、吸込口５から居室に送り込まれる。
こうして、空気調和機の送風装置を利用することによって、吸気を効率よく居室に供給することができる。
【００２６】
【発明の効果】
以上の説明から明らかなように、本発明は、外郭部材の内部に配置された熱交換器と送風ファンを備え、外郭部材の下部開口部を画定するように形成された室内空気の吸込口と吹出口との間に、熱交換器と送風ファンとを含む風路を設けた天井埋込形空気調和機において、外郭部材に外気を導入する接続口を設け、接続口と吸込口を接続する独立した外気導入風路を備えたので、従来のように空気調和機本体と化粧パネルの間にダクトスペースを必要とせず、省スペースにて据付ることができる。また、プレフィルターにゴミ、埃等が捕集されないため、外気導入をしてもゴミ、埃等が居室内に吹き戻されることはない。
また、風路は吸込口から室内空気を吹込んで熱交換器へ流れる吸込側風路を有し、外気導入風路は吸込側風路内にあり、かつ吸込側風路と分離独立して設けたので、同様な効果を得ることができる。
さらに、外気導入風路は、外郭部材の内側で接続口に接続し、吸込側風路に位置するダクトにより構成されたので、同様な効果を得ることができる。
【００２７】
また、ダクトは、接続口の近傍において外郭部材に設けた係止部に係止するフランジと、外郭部材に設けた固定受け部に当接し連結される固定部を備え、この固定部の連結を着脱することによってダクトを着脱可能としたので、ダクトを容易に着脱することができる。
【００２９】
また、ダクトの側板に、外気ダクトを通る外気と吸込側風路に吸込まれた室内空気とを混合する混合穴を設けたので、外気の導入が効率よくでき、居室全体に新鮮な外気を供給することができる。
【００３０】
さらに、ダクトの側板に、下面側を根元とし、上方がダクトの外側に開口するように切り起して形成された風向板を設けたので、外気が居室吸込み空気と混合され、居室に空調空気を吹出すことができる。
【００３２】
さらに、ダクトの居室側端部近傍に、ダクトを通って居室に供給される外気の風向を変える風向調整手段を設けたので、居室にいる人に外気が直接あたることがないため外気流による不快感がなく、快適な空気調和を供給することができる。
【００３３】
また、ダクトの外郭に吸込側風路に通じる外気供給口を設けると共に、ダクトの内部に、外気供給口を開閉して外気を居室側へ送り込む風路と吸込側風路へ送り込む風路に分けるダンパーを設けたので、この空気調和機の送風装置を利用することによって、吸気を効率よく居室に供給することができる。
さらに、外郭部材の側面にほぼ逆Ｕ字状の切欠き部を設け、この切欠き部に配置されるとともに外郭部材に着脱可能に取り付けられる接続部材を備え、この接続部材に接続口を設けたので、点検、メンテナンスで空気調和機本体を取り外す場合に接続部材のみを外せば外気ダクトをはずせるため、天井を剥がすなどということなく本体をおろすことができる。
【図面の簡単な説明】
【図１】  本発明の実施の形態１の天井埋込形空気調和機を示す縦断面図である。
【図２】  図１の斜視図である。
【図３】  本発明の実施の形態２の天井埋込形空気調和機を示す分解斜視図である。
【図４】  図３の外気ダクトの側面図である。
【図５】  本発明の実施の形態３の外気ダクト一体型の天井埋込形空気調和機を示す縦断面図である。
【図６】  本発明の実施の形態４の天井埋込形空気調和機を示す縦断面図である。
【図７】  本発明の実施の形態５の天井埋込形空気調和機を示す縦断面図である。
【図８】  図７の分解斜視図である。
【図９】  本発明の実施の形態６の天井埋込形空気調和機のダクト接続口を示す分解斜視図である。
【図１０】  本発明の実施の形態７の天井埋込形空気調和機を示す縦断面図である。
【図１１】  本発明の実施の形態８の天井埋込形空気調和機を示す縦断面図である。
【図１２】  従来の天井埋込形空気調和機の一例を示す断面図である。
【符号の説明】
１  外郭部材、２  熱交換器、３送風ファン、５，６  吸込口、８  吸込側風路、９  吹出側風路、１０  化粧パネル、１３  吹出口、１７  ダクト接続口、１７ａ  外気接続口、１９  外気ダクト、２０  フランジ、２１  係止部、２２固定部、２４  固定受け部、２５  仕切板、２６  混合穴、２７  風向板、２８  切欠き部、３１  風向ガイド、３２  ダンパー、３３  外気供給口。
【図１】
0004527306.tif 000002
【図２】
0004527306.tif 000003
【図３】
0004527306.tif 000004
【図４】
0004527306.tif 000005
【図５】
0004527306.tif 000006
【図６】
0004527306.tif 000007
【図７】
0004527306.tif 000008
【図８】
0004527306.tif 000009
【図９】
0004527306.tif 000010
【図１０】
0004527306.tif 000011
【図１１】
0004527306.tif 000012
【図１２】
0004527306.tif 000013